【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
複数種類の識別情報を可変表示して表示状態が変化可能な画像表示装置を有し、該画像表示装置における前記識別情報の可変表示の表示結果が予め定められた特定の表示態様になった場合に、遊技者に有利な特定遊技状態に制御可能な遊技機であって、
前記画像表示装置に表示するための識別情報の画像のデータおよび背景を形成する背景画像のデータのうちの少なくとも前記背景画像のデータを複数種類記憶する画像データ記憶手段と、
前記画像データ記憶手段に記憶されたデータを選択的に用いて、前記画像表示装置に前記識別情報の画像および前記背景画像を表示させる制御を行なうとともに、前記画像表示装置において前記識別情報の可変表示を開始させた後表示結果を導出表示する制御を行なう画像表示制御手段と、
前記画像表示装置に表示する前記背景画像の種類を変更させるための予め定められた変更条件として所定回数の可変表示が行なわれたか否かを判定する変更条件判定手段とを含み、
前記画像表示制御手段は、前記変更条件判定手段により前記変更条件が成立したと判定された場合に、前記画像表示装置に表示する前記背景画像を変更する表示制御を行なうことを特徴とする、遊技機。
【請求項２】
複数種類の識別情報を可変表示して表示状態が変化可能な画像表示装置を有し、該画像表示装置における前記識別情報の可変表示の表示結果が予め定められた特定の表示態様になった場合に、遊技者に有利な特定遊技状態に制御可能な遊技機であって、
前記画像表示装置に表示するための識別情報の画像のデータおよび背景を形成する背景画像のデータのうちの少なくとも前記背景画像のデータを複数種類記憶する画像データ記憶手段と、
前記画像データ記憶手段に記憶されたデータを選択的に用いて、前記画像表示装置に前記識別情報の画像および前記背景画像を表示させる制御を行なうとともに、前記画像表示装置において前記識別情報の可変表示を開始させた後表示結果を導出表示する制御を行なう画像表示制御手段と、
ランダムカウンタのカウント値に基づいて、前記画像表示装置に表示する前記背景画像の種類を変更させるための予め定められた変更条件が成立したか否かを判定する変更条件判定手段とを含み、
前記画像表示制御手段は、前記変更条件判定手段により前記変更条件が成立したと判定された場合に、前記画像表示装置に表示する前記背景画像を変更する表示制御を行なうことを特徴とする、遊技機。
【請求項３】
前記画像表示制御手段は、前記遊技機が前記特定遊技状態に制御されていない通常の遊技状態において、前記背景画像を表示する制御を行なうことを特徴とする、請求項１または２に記載の遊技機。
【請求項４】
前記画像表示制御手段は、前記画像表示装置における前記表示結果の導出表示にかかわる動作をキャラクタ画像にさせる表示制御を行なうことを特徴とする、請求項１〜３のいずれか１項に記載の遊技機。
【請求項５】
前記変更条件判定手段での判定に用いられる前記変更条件は、前記遊技機が前記特定遊技状態に制御されていない通常の遊技状態において成立する条件であることを特徴とする、請求項１〜４のいずれか１項に記載の遊技機。
【手続補正２】
【補正対象書類名】明細書
【補正対象項目名】０００６
【補正方法】変更
【補正の内容】
【０００６】
請求項１に記載の本発明は、複数種類の識別情報を可変表示して表示状態が変化可能な画像表示装置を有し、該画像表示装置における前記識別情報の可変表示の表示結果が予め定められた特定の表示態様になった場合に、遊技者に有利な特定遊技状態に制御可能な遊技機であって、
前記画像表示装置に表示するための識別情報の画像のデータおよび背景を形成する背景画像のデータのうちの少なくとも前記背景画像のデータを複数種類記憶する画像データ記憶手段と、
前記画像データ記憶手段に記憶されたデータを選択的に用いて、前記画像表示装置に前記識別情報の画像および前記背景画像を表示させる制御を行なうとともに、前記画像表示装置において前記識別情報の可変表示を開始させた後表示結果を導出表示する制御を行なう画像表示制御手段と、
前記画像表示装置に表示する前記背景画像の種類を変更させるための予め定められた変更条件として所定回数の可変表示が行なわれたか否かを判定する変更条件判定手段とを含み、
前記画像表示制御手段は、前記変更条件判定手段により前記変更条件が成立したと判定された場合に、前記画像表示装置に表示する前記背景画像を変更する表示制御を行なうことを特徴とする。
請求項２に記載の本発明は、複数種類の識別情報を可変表示して表示状態が変化可能な画像表示装置を有し、該画像表示装置における前記識別情報の可変表示の表示結果が予め定められた特定の表示態様になった場合に、遊技者に有利な特定遊技状態に制御可能な遊技機であって、
前記画像表示装置に表示するための識別情報の画像のデータおよび背景を形成する背景画像のデータのうちの少なくとも前記背景画像のデータを複数種類記憶する画像データ記憶手段と、
前記画像データ記憶手段に記憶されたデータを選択的に用いて、前記画像表示装置に前記識別情報の画像および前記背景画像を表示させる制御を行なうとともに、前記画像表示装置において前記識別情報の可変表示を開始させた後表示結果を導出表示する制御を行なう画像表示制御手段と、
ランダムカウンタのカウント値に基づいて、前記画像表示装置に表示する前記背景画像の種類を変更させるための予め定められた変更条件が成立したか否かを判定する変更条件判定手段とを含み、
前記画像表示制御手段は、前記変更条件判定手段により前記変更条件が成立したと判定された場合に、前記画像表示装置に表示する前記背景画像を変更する表示制御を行なうことを特徴とする。
請求項３に記載の本発明は、請求項１または２に記載の発明の構成に加えて、前記画像表示制御手段は、前記遊技機が前記特定遊技状態に制御されていない通常の遊技状態において、前記背景画像を表示する制御を行なうことを特徴とする。
【手続補正３】
【補正対象書類名】明細書
【補正対象項目名】０００７
【補正方法】変更
【補正の内容】
【０００７】
請求項４に記載の本発明は、請求項１〜３のいずれか１項に記載の発明の構成に加えて、前記画像表示制御手段は、前記画像表示装置における前記表示結果の導出表示にかかわる動作をキャラクタ画像にさせる表示制御を行なうことを特徴とする。
【手続補正４】
【補正対象書類名】明細書
【補正対象項目名】０００８
【補正方法】変更
【補正の内容】
【０００８】
請求項５に記載の本発明は、請求項１〜４のいずれか１項に記載の発明の構成に加えて、前記変更条件判定手段での判定に用いられる前記変更条件は、前記遊技機が前記特定遊技状態に制御されていない通常の遊技状態において成立する条件であることを特徴とする。
【手続補正５】
【補正対象書類名】明細書
【補正対象項目名】０００９
【補正方法】変更
【補正の内容】
【０００９】
（作用）
請求項１に記載の本発明によれば、画像データ記憶手段に、画像表示装置に表示するための識別情報の画像のデータおよび背景を形成する背景画像のデータの少なくとも背景画像のデータが複数種類記憶される。画像表示制御手段の働きにより、画像データ記憶手段に記憶されたデータを選択的に用いて、画像表示装置に識別情報の画像および背景画像を表示させる制御が行なわれるとともに、画像表示装置において識別情報の可変表示を開始させた後表示結果を導出表示する制御が行なわれる。変更条件判定手段の働きにより、画像表示装置に表示する背景画像の種類を変更させるための予め定められた変更条件として所定回数の可変表示が行なわれたか否かが判定される。画像表示制御手段のさらなる働きにより、変更条件判定手段により変更条件が成立したと判定された場合に、画像表示装置に表示する背景画像を変更する表示制御が行なわれる。このように、遊技において画像の変更条件が成立した場合に、表示されている背景画像が変更されるため、画像表示装置において変化に富んだ表示がなされる。
請求項２に記載の本発明によれば、画像データ記憶手段に、画像表示装置に表示するための識別情報の画像のデータおよび背景を形成する背景画像のデータの少なくとも背景画像のデータが複数種類記憶される。画像表示制御手段の働きにより、画像データ記憶手段に記憶されたデータを選択的に用いて、画像表示装置に識別情報の画像および背景画像を表示させる制御が行なわれるとともに、画像表示装置において識別情報の可変表示を開始させた後表示結果を導出表示する制御が行なわれる。変更条件判定手段の働きにより、ランダムカウンタのカウント値に基づいて、画像表示装置に表示する背景画像の種類を変更させるための予め定められた変更条件が成立したか否かが判定される。画像表示制御手段のさらなる働きにより、変更条件判定手段により変更条件が成立したと判定された場合に、画像表示装置に表示する背景画像を変更する表示制御が行なわれる。このように、遊技において画像の変更条件が成立した場合に、表示されている背景画像が変更されるため、画像表示装置において変化に富んだ表示がなされる。
【手続補正６】
【補正対象書類名】明細書
【補正対象項目名】００１０
【補正方法】変更
【補正の内容】
【００１０】
請求項３に記載の本発明は、請求項１または２に記載の発明の作用に加えて、次のように作用する。画像表示制御手段のさらなる働きにより、遊技機が特定遊技状態に制御されていない通常の遊技状態において、背景画像を表示する制御が行なわれる。このため、背景画像の表示が、遊技者が遊技に飽きやすい通常の遊技状態に表示されることになる。
【手続補正７】
【補正対象書類名】明細書
【補正対象項目名】００１１
【補正方法】変更
【補正の内容】
【００１１】
請求項４に記載の本発明によれば、請求項１〜３のいずれか１項に記載の発明の作用に加えて、次のように作用する。画像表示制御手段のさらなる働きにより、画像表示装置における表示結果の導出表示にかかわる動作をキャラクタ画像にさせる表示制御が行なわれる。このように、キャラクタ画像が動作され、その動作が表示結果の導出表示にかかわるため、面白みがある表示が行なわれる。
【手続補正８】
【補正対象書類名】明細書
【補正対象項目名】００１２
【補正方法】変更
【補正の内容】
【００１２】
請求項５に記載の本発明によれば、請求項１〜４のいずれか１項に記載の発明の作用に加えて、次のように作用する。変更条件判定手段での判定に用いられる変更条件が、遊技機が特定遊技状態に制御されていない通常の遊技状態において成立する条件に設定される。これにより、背景画像の変更表示は、通常の遊技状態において実行される。
【手続補正９】
【補正対象書類名】明細書
【補正対象項目名】０１４３
【補正方法】変更
【補正の内容】
【０１４３】
（課題を解決するための手段の具体例の効果）
請求項１および請求項２に関しては、遊技中に変更条件が成立した場合に、画像表示装置に表示される背景画像が変更される。このため、画像表示装置に表示される背景画像を変化に富んだものにすることができるので、このような画像の表示により、長時間にわたって遊技を行なっている遊技者を飽きさせないようにすることができる。その結果として、遊技者の興趣を向上させることができる。
【手続補正１０】
【補正対象書類名】明細書
【補正対象項目名】０１４４
【補正方法】変更
【補正の内容】
【０１４４】
請求項３に関しては、請求項１または２に関する効果に加えて次のような効果を得ることができる。すなわち、遊技者が特定遊技状態に制御されていない通常の遊技状態において、背景画像が表示され、その表示画像が変更されるため、遊技者が特に遊技に飽きやすい通常の遊技状態において、遊技者を飽きさせないようにすることができる。
【手続補正１１】
【補正対象書類名】明細書
【補正対象項目名】０１４５
【補正方法】変更
【補正の内容】
【０１４５】
請求項４に関しては、請求項１〜３のいずれか１項に関する効果に加えて、次のような効果を得ることができる。すなわち、キャラクタ画像が、遊技者が特に興味を持つ表示である画像表示装置の可変表示の表示結果の導出表示にかかわる動作をするため、遊技者の興趣をより一層向上させることができる。
【手続補正１２】
【補正対象書類名】明細書
【補正対象項目名】０１４６
【補正方法】変更
【補正の内容】
【０１４６】
請求項５に関しては、請求項１〜４のいずれか１項に関する効果に加えて、つぎのような効果を得ることができる。背景画像の変更の条件が、通常の遊技状態中に成立するので、画像の変更は、通常の遊技状態に行なわれる。このため、このような画像が特定遊技状態中における画像表示を邪魔しないようにすることができる。